(57)【要約】【課題】電極端子による本体ケーシングの損傷を低減できる空気調和機の梱包構造を提供する。【解決手段】把手部１０１が設けられた空気調和機のケーシング１に緩衝材１０９を装着する。緩衝材１０９のケーシング１側の表面には、ケーシング１の表面ハ’，ニ’に当たる当たり面が設けられている。これにより、ケーシング１に緩衝材１０９を装着した際、プラグ本体１０４が把手部１０１外に移動しないように、把手部１０１に対するプラグ本体１０４の移動が規制される。【選択図】図６
2010058819.tif 000002
【特許請求の範囲】
【請求項１】
把手部(１０１)が設けられた空気調和機の本体ケーシング(１)と、
上記本体ケーシング(１)に装着される緩衝材(１０９)と、
一端が上記本体ケーシング(１)に連接する電源コード(１０３)と、この電源コード(１０３)の他端に連接するプラグ本体(１０４)と、このプラグ本体(１０４)の先端面から突出する電極端子(１０５，１０５)とを有する電源プラグ(１０２)と
を備えた空気調和機の梱包構造であって、
上記把手部(１０１)は、上記プラグ本体(１０４)および電極端子(１０５，１０５)を収容可能に設けられ、
上記緩衝材(１０９)は、上記本体ケーシング(１)に装着した際、上記プラグ本体(１０４)が上記把手部(１０１)外に移動しないように、上記把手部(１０１)に対する上記プラグ本体(１０４)の移動を規制する規制部(ハ，ニ)を有することを特徴とする空気調和機の梱包構造。
【請求項２】
請求項１に記載の空気調和機の梱包構造において、
上記緩衝材(１０９)には、上記電源コード(１０３)を収容可能な収容スペース(１１０)が設けられていることを特徴とする空気調和機の梱包構造。
【請求項３】
請求項１または２に記載の空気調和機の梱包構造において、
上記把手部(１０１)は、上記プラグ本体(１０４)を係止可能に設けられていることを特徴とする空気調和機の梱包構造。
【請求項４】
請求項３に記載の空気調和機の梱包構造において、
上記把手部(１０１)に上記プラグ本体(１０４)および電極端子(１０５，１０５)を収容し、上記プラグ本体(１０４)を係止した状態で、上記電極端子(１０５，１０５)は上記本体ケーシング(１)との間に隙間を有することを特徴とする空気調和機の梱包構造。
【請求項５】
請求項３または４に記載の空気調和機の梱包構造において、
上記把手部(１０１)は、上記プラグ本体(１０４)が当接する一対の当接面(１０７，１０７，２０７，２０７)を有し、
上記当接面(１０７，１０７，２０７，２０７)同士の間の距離は、上記プラグ本体(１０４)を挿入する方向に進むにつれて小さくなることを特徴とする空気調和機の梱包構造。
【請求項６】
請求項３から５までのいずれか一項に記載の空気調和機の梱包構造において、
上記把手部(１０１)は、上記プラグ本体(１０４)を係止する突起部(２０８)を有することを特徴とする空気調和機の梱包構造。
【発明の詳細な説明】
【技術分野】
【０００１】
本発明は、空気調和機と緩衝材を使用する空気調和機の梱包構造に関する。
【背景技術】
【０００２】
通常、空気調和機の本体ケーシングには、電源コードの一端部が接続されている。そして、上記電源コードの他端部には、コンセントに挿入される電極端子が設けられている。
【０００３】
また、上記空気調和機はダンボール箱内に収容されて輸送される。このとき、上記電源コードがダンボール箱内で自由に動ける状態であると、電源コードの電極端子が板形状の金属からなるため、本体ケーシングに傷を付けることがある。
【０００４】
このような本体ケーシングの損傷を避けるための加湿装置が、実公平０４−０１９８３号公報（特許文献１）に開示されている。
【０００５】
上記加湿装置は、本体ケーシングと、この本体ケーシング内に配置された給水タンクと、本体ケーシングから導出された電源プラグとを備えている。
【０００６】
上記電源プラグの先端部には、プラグ本体と、このプラグ本体の先端面から突出する電極端子とが設けられている。
【０００７】
上記給水タンクの側壁には、プラグ本体および電極端子を収容可能な凹部を設けている。そして、上記本体ケーシングにおいて凹部に対向する箇所に貫通孔を設けている。
【０００８】
上記構成の加湿装置によれば、プラグ本体および電極端子を本体ケーシングの貫通孔から本体ケーシング内に入れて、プラグ本体および電極端子を凹部内に収容する。これにより、輸送時に、本体ケーシングの外壁が電極端子で傷付くのを防ごうとしている。
【０００９】
しかしながら、上記従来の加湿装置では、プラグ本体および電極端子が凹部内で移動可能となっているため、ケーシングの内壁や給水タンクの側壁が電極端子で損傷してしまうという問題がある。
【特許文献１】実公平０４−０１９８３号公報
【発明の開示】
【発明が解決しようとする課題】
【００１０】
そこで、本発明の課題は、電極端子による本体ケーシングの損傷を低減できる空気調和機の梱包構造を提供することにある。
【課題を解決するための手段】
【００１１】
上記課題を解決するため、本発明の空気調和機の梱包構造は、
把手部が設けられた空気調和機の本体ケーシングと、
上記本体ケーシングに装着される緩衝材と、
一端が上記本体ケーシングに連接する電源コードと、この電源コードの他端に連接するプラグ本体と、このプラグ本体の先端面から突出する電極端子とを有する電源プラグと
を備えた空気調和機の梱包構造であって、
上記把手部は、上記プラグ本体および電極端子を収容可能に設けられ、
上記緩衝材は、上記本体ケーシングに装着した際、上記プラグ本体が上記把手部外に移動しないように、上記把手部に対する上記プラグ本体の移動を規制する規制部を有することを特徴としている。
【００１２】
上記構成の空気調和機の梱包構造によれば、上記プラグ本体および電極端子を把手部に収容した後、この把手部が設けられた本体ケーシングに緩衝材を装着する。そうすると、上記緩衝材の規制部が、プラグ本体が把手部外に移動しないように、把手部に対するプラグ本体の移動を規制する。
【００１３】
その結果、上記把手部からプラグ本体が抜け出るのを阻止できるので、そのプラグ本体の先端面から突出する電極端子が本体ケーシングの例えば意匠面に傷を付けるのを防ぐことができる。
【００１４】
すなわち、上記緩衝材の規制部によってプラグ本体と共に電極端子を把手部内に閉じ込めることができるので、電極端子による本体ケーシングの損傷を低減できる。
【００１５】
一実施形態の空気調和機の梱包構造では、
上記緩衝材には、上記電源コードを収容可能な収容スペースが設けられている。
【００１６】
上記実施形態の空気調和機の梱包構造によれば、上記緩衝材の収容スペースに電源コードを収容することにより、緩衝材で衝撃を吸収し、電源コードが損傷するのを防ぐことができる。
【００１７】
一実施形態の空気調和機の梱包構造では、
上記把手部は、上記プラグ本体を係止可能に設けられている。
【００１８】
上記実施形態の空気調和機の梱包構造によれば、上記プラグ本体および電極端子を把手部に収容した際、プラグ本体を把手部に係止することにより、プラグ本体と共に電極端子を把手部で拘束できる。
【００１９】
したがって、上記プラグ本体は把手部からより抜け出にくくなるので、電極端子による本体ケーシングの損傷が発生する可能性を極めて低くすることができる。
【００２０】
一実施形態の空気調和機の梱包構造では、
上記把手部に上記プラグ本体および電極端子を収容し、上記プラグ本体を係止した状態で、上記電極端子は上記本体ケーシングとの間に隙間を有する。
【００２１】
上記実施形態の空気調和機の梱包構造によれば、上記プラグ本体および電極端子を把手部に収容し、プラグ本体を把手部に係止する。このとき、上記電極端子と本体ケーシングとの間に隙間が形成されるので、電極端子による本体ケーシングの損傷をさらに低減できる。
【００２２】
一実施形態の空気調和機の梱包構造では、
上記把手部は、上記プラグ本体が当接する一対の当接面を有し、
上記当接面同士の間の距離は、上記プラグ本体を挿入する方向に進むにつれて小さくなる。
【００２３】
上記実施形態の空気調和機の梱包構造によれば、上記把手部の当接面同士の間の距離は、プラグ本体を挿入する方向に進むにつれて小さくなるので、当接面同士の間にプラグ本体を挿入すると、プラグ本体は、一対の当接面に当接し、その一対の当接面で挟持される。
【００２４】
したがって、上記当接面同士の間にプラグ本体を挿入するだけで、プラグ本体を把手部に容易に係止することができる。
【００２５】
一実施形態の空気調和機の梱包構造では、
上記把手部は、上記プラグ本体を係止する突起部を有する。
【００２６】
上記実施形態の空気調和機の梱包構造によれば、上記把手部にはプラグ本体を係止する突起部があるので、把手部によるプラグの拘束を確実にすることができる。
【発明の効果】
【００２７】
本発明の空気調和機の梱包構造によれば、空気調和機における本体ケーシングの把手部にプラグ本体および電極端子を収容した後、本体ケーシングに緩衝材を装着すると、緩衝材の規制部が、プラグ本体が把手部外に移動しないように、把手部に対するプラグ本体の移動を規制する。
【００２８】
したがって、上記把手部から抜け出たプラグ本体の電極端子が本体ケーシングに接触しないようにし、電極端子による本体ケーシングの損傷を低減できる。
【発明を実施するための最良の形態】
【００２９】
以下、この発明を図示の実施の形態により詳細に説明する。
【００３０】
本発明の一実施の形態の空気清浄機は、図１に示すように、ケーシング１を備え、このケーシング１は、ケーシング本体２と、このケーシング本体２に着脱可能に取り付けられた前面パネル３とからなる。なお、上記ケーシング１が本体ケーシングの一例である。
【００３１】
上記ケーシング１の両側面には吸込口５を設け、ケーシング１の上面の後部に吹出口６を設けている。
【００３２】
このように、上記空気清浄機では、吸込口５をケーシング１の側面に設け、吹出口６をケーシング１の上面に設けて、ケーシング１の後面７には吸込口および吹出口を無くしているから、この空気清浄機のケーシング１の後面７は、図示しない部屋の壁面に密着させることができて、この空気清浄機の設置の自由度が高くなっている。
【００３３】
従来の空気清浄機は、吸込口がケーシングの後面にあるため、そのケーシングと部屋の壁面との間にある程度の大きさの隙間をあけないと、吸込抵抗が大きくなるため、部屋の壁面に密着させることができなくて、その設置の自由度が低かったのである。
【００３４】
また、上記空気清浄機は、図２に示すように、電源プラグ１０２を備え、この電源プラグ１０２は、一端がケーシング本体２に連接する電源コード１０３と、この電源コード１０３の他端に連接するプラグ本体１０４と、このプラグ本体１０４の先端面から突出する一対の電極端子１０５，１０５とを有する。
【００３５】
図１および２に示すように、上記ケーシング本体２の上部の各側面には、凹部からなる把手部１０１が設けられている。この把手部１０１の形状は、プラグ本体１０４および電極端子１０５，１０５を収容可能、かつ、プラグ本体１０４を係止可能な形状となっている。したがって、上記把手部１０１にプラグ本体１０４および電極端子１０５，１０５を収容し、プラグ本体１０４を把手部１０１に係止することにより、プラグ本体１０４がケーシング本体２に対して動かないようにし、電極端子１０５，１０５によるケーシング本体２の損傷を低減できる。
【００３６】
上記把手部１０１は、底面１０６と、この底面１０６に連なってプラグ本体１０４が当接する一対の当接面１０７，１０７と、底面１０６に連なって電極端子１０５に対向する前面１０８とを含む。
【００３７】
上記当接面１０７，１０７は互いに非平行になっており、当接面１０７と他の当接面１０７との間の距離がプラグ本体１０４を挿入する方向に進むにつれて小さくなっている。つまり、上記把手部１０１の上下方向の幅は、ケーシング本体２の後部側から前面パネル３側に近づくにつれて徐々に狭くなっている。これにより、上記ケーシング本体２の後部側からプラグ本体１０４を把手部１０１内に挿入し、前面パネル３側へ進めて行くと、プラグ本体１０４は、両当接面１０７，１０７に当接し、その当接面１０７，１０７で挟持される。したがって、上記プラグ本体１０４を把手部１０１に容易に係止することができる。
【００３８】
上記把手部１０１にプラグ本体１０４を係止した状態において、電極端子１０５，１０５は底面１０６、当接面１０７，１０７および前面１０８との間に隙間を有する。したがって、上記電極端子１０５，１０５が底面１０６、当接面１０７，１０７および前面１０８を傷付けるのを防ぐことができる。
【００３９】
また、上記実施形態の空気清浄機では、プラグ本体１０４および電極端子１０５，１０５を収容および係止する把手部１０１は、ケーシング１を貫通するものではなく、凹部であるから、把手部１０１を介してケーシング１内に埃などの異物が入らない。したがって、上記異物がケーシング１内に入って引き起こす故障を防ぐことができる。
【００４０】
実公平０４−０１９８３号公報では、本体ケーシング内にプラグ本体および電極端子を収容するために、本体ケーシングに貫通孔を設けている。このため、上記貫通孔から埃などの異物が本体ケーシング内に入って故障を引き起こすことがある。
【００４１】
また、上記実施形態の空気清浄機では、把手部１０１が、プラグ本体１０４および電極端子１０５，１０５を収容および係止するので、把手部１０１以外に、プラグ本体１０４および電極端子１０５，１０５を収容および係止するための例えば凹部を、ケーシング１に設けなくてもよい。したがって、上記ケーシング１の美観が低下するのを防ぐことができ、ケーシング１のデザインの自由度を高くできる。
【００４２】
なお、図２では、吸込口５および吹出口６の図示を省略している。
【００４３】
図３は、上記ケーシング１に装着する緩衝材１０９を後方の斜め上方から見た概略図である。また、図４は、上記緩衝材１０９を前方の斜め下方から見た概略図である。また、図５は、上記緩衝材１０９を後方の斜め下方から見た概略図である。
【００４４】
図３〜５に示すように、上記緩衝材１０９においてケーシング１側となる表面には、当たり面イ，ロ，…，チが設けられている。また、上記緩衝材１０９は、電源コード１０３を収容可能な収容スペース１１０を有している。なお、上記当たり面ハ，ニは規制部の一例である。
【００４５】
上記緩衝材１０９は、図６に示すような状態からケーシング１側に移動させて、ケーシング１に装着される。このとき、上記当たり面イはケーシング１の表面イ’に、当たり面ロはケーシング１の表面ロ’に、当たり面ハはケーシング１の表面ハ’に、当たり面ニはケーシング１の表面ニ’に、当たり面ホはケーシング１の表面ホ’に、当たり面ヘはケーシング１の表面へ’に、当たり面チはケーシング１の表面チ’にそれぞれ当たる。
【００４６】
このように、上記プラグ本体１０４を把手部１０１に係止した後、ケーシング１に緩衝材１０９を装着すると、緩衝材１０９の当たり面ハ，ニが、プラグ本体１０４が把手部１０１外に移動しないように、把手部１０１に対するプラグ本体１０４の移動を規制する。
【００４７】
すなわち、上記プラグ本体１０４は、把手部１０１で拘束され、かつ、当たり面ハ，ニによって把手部１０１外への移動が規制される。
【００４８】
したがって、上記プラグ本体１０４の電極端子１０５，１０５がケーシング１に傷を付ける可能性を極めて低くすることができる。
【００４９】
また、上記ケーシング１に緩衝材１０９を装着すると、電源コード１０３のプラグ本体１０４近傍の部分が緩衝材１０９の収容スペース１１０に収容されるので、電源コード１０３のプラグ本体１０４近傍の部分の損傷を防ぐことができる。
【００５０】
上記実施の形態において、ケーシング１の表面イ’〜チ’以外の表面にも他の緩衝材を当てて、空気清浄機を梱包してもよい。
【００５１】
上記実施の形態では、把手部１０１の形状は、プラグ本体１０４および電極端子１０５，１０５を収容可能、かつ、プラグ本体１０４を係止可能な形状となっていたが、プラグ本体１０４および電極端子１０５，１０５を収容可能な形状であれば、プラグ本体１０４を係止可能な形状でなくてもよい。
【００５２】
例えば、上記当接面１０７，１０７の代わりに互いに平行な一組の面を設け、各面とプラグ本体１０４との間に隙間ができるようにしてもよい。
【００５３】
このようにしても、ケーシング１に緩衝材１０９を装着することによって、電極端子１０５，１０５によるケーシング１の損傷の低減効果は得られる。
【００５４】
上記実施の形態において、一組の当接面１０７，１０７の代わりに、図７に示す一組の当接面２０７，２０７を用いてもよい。この各当接面２０７には、プラグ本体１０４を係止する突起部２０８が設けられている。
【００５５】
上記突起部２０８があることによって、プラグ本体１０４の係止を確実に行うことができる。
【００５６】
また、上記プラグ本体１０４の係止ができるのであれば、互いに平行な一組の当接面を用いてもよい。この各当接面に、突起部２０８と同様の突起部を設けてもよい。
【００５７】
本発明は、空気清浄機以外にも、冷房、暖房、除湿、加湿などのうちの少なくとも１つを行う空気調和機にも適用することができる。
【図面の簡単な説明】
【００５８】
【図１】図１は本発明の一実施の形態の空気清浄機の斜視図である。
【図２】図２は上記空気清浄機の概略斜視図である。
【図３】図３は本発明の一実施の形態の緩衝材の概略斜視図である。
【図４】図４は上記緩衝材の他の概略斜視図である。
【図５】図５は上記緩衝材の他の概略斜視図である。
【図６】図６は上記空気清浄機への緩衝材の装着を説明するための図である。
【図７】図７は上記空気清浄機の変形例の概略斜視図である。
【符号の説明】
【００５９】
１  ケーシング
２  ケーシング本体
３  前面パネル
１０１  把手部
１０２  電源プラグ
１０３  電源コード
１０４  プラグ本体
１０５  電極端子
１０７，２０７  当接面
１０９  緩衝材
１１０  収容スペース
２０８  突起部
ハ，ニ  当たり面
【図１】
2010058819.tif 000003
【図２】
2010058819.tif 000004
【図３】
2010058819.tif 000005
【図４】
2010058819.tif 000006
【図５】
2010058819.tif 000007
【図６】
2010058819.tif 000008
【図７】
2010058819.tif 000009